(57)【特許請求の範囲】
【請求項１】
左右対応個所に１組ずつの孔付き突片を備える上端開口を塞ぎ得るようにした土嚢用の嚢と、この嚢内に土砂を放り込む作業を補助するハンガーアーム付きスタンド部とでなる防災用具であって、前記スタンド部は、上端が叩打可能で上下に伸びる部分を有し下端が作業現場の土面内に打ち込み可能な杭形とされ、前記ハンガーアームは、スタンド部に対して昇降調節可能に固定されるスライダから左右に伸びたアームの左右２個所から手前方向に片持状をなして一対伸びて設けられ、同アームは、基部と中間と先端近傍とで形成され、基部には、突片の孔が挿通されて嚢の複数枚が前後に列状をなして支持され、左右各ハンガーアームにおける中間と先端近傍の前後２個所に離れた位置には、Ｕ字状に曲がる係合部が形成されていて、前記基部における表側の１枚の嚢が前方へ移動されて同嚢の前側の突片が前側の係合部に後側の突片が後側の係合部にそれぞれ係合すると同時に前記上端開口が開いた姿勢に吊掛保持可能とされている防災用具。
【請求項２】
左右対応個所に１組ずつの孔付き突片を備える上端開口を塞ぎ得るようにした土嚢用の嚢と、この嚢内に土砂を放り込む作業を補助するハンガーアーム付きスタンド部とでなる防災用具であって、スタンド部は、左右一対の部材からなるとともにその基部に座部を備えてアンカーにより土面に固定可能とされ、ハンガーアームは、各スタンド部から手前方向に伸びたものとされるとともに、係合部は、左右各ハンガーアームにおいて先端と途中の前後２個所に離れた位置にそれぞれＵ字状に曲がって形成されていて前記突片が落ち込んで係合し得るようになっている防災用具。
【発明の詳細な説明】
【技術分野】
【０００１】この発明は、土嚢の嚢内に土砂を放り込む作業を補助するための防災用具に関する。
【背景技術】
【０００２】近時、各所で河川が氾濫したり豪雨に伴う浸水災害があり、その際、緊急に多数の土嚢が必要となる。
【発明が解決しようとする課題】
【０００３】ところで、これまでの土嚢作りは嚢を拡げて保持する者と土砂を入れる者の２人がかりの作業になっていたため、時間当たりに作られる土嚢数には限界があった。
【課題を解決するための手段】
【０００４】この発明は前記課題を解決するためになされたもので、請求項１記載の発明は、左右対応個所に１組ずつの孔付き突片を備える上端開口を塞ぎ得るようにした土嚢用の嚢と、この嚢内に土砂を放り込む作業を補助するハンガーアーム付きスタンド部とでなる防災用具であって、前記スタンド部は、上端が叩打可能で上下に伸びる部分を有し下端が作業現場の土面内に打ち込み可能な杭形とされ、前記ハンガーアームは、スタンド部に対して昇降調節可能に固定されるスライダから左右に伸びたアームの左右２個所から手前方向に片持状をなして一対伸びて設けられ、同アームは、基部と中間と先端近傍とで形成され、基部には、突片の孔が挿通されて嚢の複数枚が前後に列状をなして支持され、左右各ハンガーアームにおける中間と先端近傍の前後２個所に離れた位置には、Ｕ字状に曲がる係合部が形成されていて、前記基部における表側の１枚の嚢が前方へ移動されて同嚢の前側の突片が前側の係合部に後側の突片が後側の係合部にそれぞれ係合すると同時に前記上端開口が開いた姿勢に吊掛保持可能とされている。
請求項２記載の発明は、左右対応個所に１組ずつの孔付き突片を備える上端開口を塞ぎ得るようにした土嚢用の嚢と、この嚢内に土砂を放り込む作業を補助するハンガーアーム付きスタンド部とでなる防災用具であって、スタンド部は、左右一対の部材からなるとともにその基部に座部を備えてアンカーにより土面に固定可能とされ、ハンガーアームは、各スタンド部から手前方向に伸びたものとされるとともに、係合部は、左右各ハンガーアームにおいて先端と途中の前後２個所に離れた位置にそれぞれＵ字状に曲がって形成されていて前記突片が落ち込んで係合し得るようになっている。
【発明の効果】
【０００５】  この発明の防災用具によれば、実践に役立つ防災用具を安価にして提供することができる。
【発明を実施するための最良の形態】
【０００６】  以下、図示した各実施形態を参照してこの発明を詳細に説明する。図１に示す実施形態は、防災用具ケース４６９を保護するためのカバー４７０を矢印Ｘのようにファスナー４７１で切り離し自在にして展開可能にして担架を構成できるようにしたものである。持つ個所は、紐を付けたり、把手状の孔を開けたりする。【０００７】  図２に示す実施形態は、同じくカバー４７３の内面に沿って引き出し自在な補助内面シート４７４を備え付けておき、仮想線のように引き出すことで担架を形成可能にしたものである。このシート４７４の一端およびカバー４７３には紐４７５を備え付けてある。【０００８】  図３に示す実施形態は、図１に示すような担架になるものを「救出中」と表記して緊急標示シートとしても使用できるようにしたものである。同シートは、バール４７７を一端に差し込み、同バール４７７を回すことで丸巻きにされる。尚、バール等の防災用具をこのように丸巻きにしておくと、ケース内あるいは他の防災用具と衝当せず保護される有利さもある。【０００９】  図４ないし図６に示す実施形態は、担架あるいは運搬車として使用可能な簡易組立式のものに関し、２本の梯子４７９を並列にし、その間に、ハンドル４８０を備えた牽き手４８１を挟んでボルトナット４８２で連結一体化して出来たものである。【００１０】  梯子４７９は、パイプ製の桟４８３…を備えるもので、同桟４８３内を通じてボルト４８２を１本通してナットを締め付けてある。両側には、側板４８４が立てられ、同側板４８４は、緊急の組み立てを考慮して、前後端部のみのボルト４８２を利用して取り付けられている。そのため側板４８４の下辺には切欠４８５が形成されている。【００１１】  後端には、ヒンジ４８６により前後に開閉可能なように背板４８７が備え付けられ、同背板４８７は、開いた時はストッパ４８８に受担される一方、閉じる時は上端のロック片４８９が側板４８４の係止溝４９０に係合することでロックするようになっている。【００１２】  そして、担架あるいは運搬車の左右両側には、ボルト４８２を利用して車輪４９１が取り付けられている。この車輪４９１は、図４に仮想線で示すように、梯子４７９間にスペーサ４９２を挟み付けてその前方に車輪４９１をもってくることで３輪車にすることもできる。この場合、後方に仮想線で示すように、車輪４９１の後方２輪４９１を後寄りに配すこともできる。【００１３】  尚、図６に仮想線で示すように、側板４８７間にハンモック４９３を配したり、側板４８７間にハンモック４９３を配したり、側板４８７から補助側板４９４を立ててその上方を覆うように天蓋シート４９５を設けてテント付の車両にすることもできる。【００１４】  尚、図７に示す実施形態のように、１本の梯子４７９により担架あるいは車両を構成することもできる。これは狭い通路にも対応できる。４９７は梯子上に載せた床板である。【００１５】  図８に示す実施形態は、脚立５０２を前記同様に担架あるいは車両として利用したものである。脚立５０２は、脚下部が開いていてそのままで持ち手５０３になり、上端に車輪５０４を付すことで簡単に組み立てできる。尚、仮想線のように、車輪５０４を配すことで３輪車にもなる。【００１６���  図９に示す実施形態は、土嚢用の嚢８０５…内に緊急時に効率良く迅速に土砂を入れることができるハンガー８０６に関する。同ハンガー８０６は、土面に垂直に打ち込まれて立設される杭形のスタンド部８０７を備え、同スタンド部８０７は、頭部に当て板８０８を備えて打ち込みやすくなっている。【００１７】  ８０９はスライダで、ロック８１０によりスタンド部８０７に止め付け得るとともに昇降調節も可能である。このスライダ８０９の両側にはアーム８１１が延びており、同アーム８１１の左右２個所からは前方に向けて延びるハンガーアーム８１２が取り付けられている。【００１８】  ハンガーアーム８１２は、基部に嚢８０５…が複数枚セッティング可能であり、その中間と先端近傍にはＵ字状に曲がった係合部８１３，８１３が形成されている。これまでは、嚢８０５を拡げて保持する者と土砂を入れる者の２人がかりの作業であったが、このハンガー８０６を使用すると、１人の作業者でも簡単迅速に作業が進む。【００１９】  すなわち、当て板８０８を叩打することでスタンド部８０７を立設し、ハンガー８０６には、予めあるいはその後、嚢８０５…が多数枚吊り掛けられるので、その表側の１枚から順にハンガーアーム８１２に沿って取り出し、同嚢８０５に付された突片８１４を前後の係合部８１３にくるまで移動させることで図示のように嚢８０５が拡開した状態に準備される。ハンガーアーム８１２は水平でもよい。同ハンガーアーム８１２の場合、先端が次第に下がりぎみになっているので、嚢８０５の前縁部が下がって土砂を放り込み易くなっている。同ハンガーアーム８１２は、仮想線のようにさらに長く前下がりになるように形成してもよい。【００２０】  尚、嚢８０５の底は地面から浮いた状態にセットする場合と地面に受担された状態にセットすることができる。浮いた状態にセットする場合、嚢８０５に土砂を入れても浮いた状態を保つようにする場合と、次第に地面に受担されるようになる場合とがある。また、初めから嚢８０５を地面に受担させる場合も、図示の程度に嚢８０５が折れ曲がらない程度にする場合と、大きく曲がる程度にする場合とがある。これらのセットの仕方はスタンド部８０７の打ち込み程度で自由に決めることができる。【００２１】  また、ハンガーアーム８１２は、図示実施形態では、重みで次第に曲がるようにしてあるが、殆ど曲がらないバーやパイプで形成してもよい。さらに、後述する実施形態でも同様にいえるが、ハンガーアーム８１２は１本でもよい。この場合、左右中に配する場合と図示の一方のハンガーアーム８１２の位置に配す場合とがある。尚、８１５は締め紐である。【００２２】  図１０に示す実施形態は、ハンガーアーム８１２が当初は下がった状態にあって土砂の放り込みがし易く最後には持ち上がって多くの土砂を入れることができるようにヒンジ８１７で支持したものである。【００２３】  図１１に示す実施形態は、スタンド部８１９をＶ字形（あるいはコの字形）をした座部８２０と、その前部から斜め後方に立ち上がる変曲部８２１と、垂直に立ち上がる支持部８２２とで構成し、支持部８２２から左右一対のハンガーアーム８２３を突出することで、座部８２０を介して土中にアンカー８２４を打ち込むことで固定されるようになっている。尚、矢印のように、支持部８２２を昇降調節自在にしてもよい。変曲部８２１および支持部８２２、ハンガーアーム８２３は左右一対設けられているが、その一方で形成してもよい。座部８２０を土砂で埋め付けて固定を図るようにしてもよい。【００２４】  図１２に示す実施形態は、防災用具を出し入れ可能にした防災用具容器８２５を装着した脚立８２６の一側に、主車輪８２７と昇降自在な補助車輪８２８を取り付け、その他側を担架として使えるようにしたものである。８２９はランプであり、同脚立８２６は担架として使用できるだけでなく、矢印のように回転させて延ばせば梯子にもなるとともに、防災用具を使用することもできるものである。【００２５】  図１３に示す実施形態は、救助用に多用なエンジンウエルダ８３０を内蔵した機体８３１の一側が仕切８３２により防災用具入れ８３３になっていて手すり８３４をもって移動することで搬送可能なものであるとともに、前板および後板８３５，８３６を仮想線のように持ち上げれば機体上面とともに担架面８３７を構成することもできる。
【図面の簡単な説明】
【００２６】
【図１】  防災用具ケースに付されるカバーを担架とする実施形態を示す斜視図。
【図２】  防災用具カバーを担架にする他の実施形態を示す斜視図。
【図３】  防災用具を担架で丸巻きにし標示を付した実施形態を示す斜視図。
【図４】  梯子を担架あるいは運搬車両にした実施形態を示す平面図。
【図５】  図４の側面図。
【図６】  図４のＰ−Ｐ線断面図。
【図７】  １本の梯子を担架にした実施形態を示す平面図。
【図８】  脚立を担架あるいは車両に利用した実施形態を示す平面図。
【図９】  土嚢に土砂を入れるハンガー装置の一例を示す斜視図。
【図１０】  同ハンガー装置の他の実施形態を示す模式図。
【図１１】  同ハンガー装置の他の実施形態を示す模式斜視図。
【図１２】  防災用具容器付脚立を担架にした実施形態を示す側面図。
【図１３】  エンジンウエルダ内蔵の可搬車が担架になる実施形態を示す側面図。
【符号の説明】
【００２７】  ４６９…防災用具ケース  ４７０，４７３…カバー  ４７９…梯子  ４９１…車輪  ５０２…脚立。
【図１】
0004304617.tif 000002
【図２】
0004304617.tif 000003
【図３】
0004304617.tif 000004
【図４】
0004304617.tif 000005
【図５】
0004304617.tif 000006
【図６】
0004304617.tif 000007
【図７】
0004304617.tif 000008
【図８】
0004304617.tif 000009
【図９】
0004304617.tif 000010
【図１０】
0004304617.tif 000011
【図１１】
0004304617.tif 000012
【図１２】
0004304617.tif 000013
【図１３】
0004304617.tif 000014